(57)【要約】      （修正有）【課題】浴槽のエプロンを跨がずに入浴できる浴槽が欲しい。【解決手段】浴槽のエプロンをＵ字型に開口し、さらに、入口として開口した下部には人が立つ床、すなわち踏み台を設け、開口した両側のエプロンの切り口から踏み台までの１本の溝を内側と外側に付け、２枚の湯止め板が差し込めるようにする。湯を堰き止める湯止め板は、内側湯止め板と外側湯止め板で、踏み台の内側と外側を仕切り、浴槽に入るときは、この２枚の湯止め板を交互に着脱して、浴槽の湯が、外部に漏れないようにする。湯止め板は、踏み台の外周に合わせて湾曲にし、湯止め板の厚みは上部を厚く、下部を薄くし、浴槽切り口のエプロンの溝も上部の巾を広くし、下部の巾を狭くして湯止め板を着脱し易く、さらに密着するようにする。【選択図】      図５
2005034258.tif 000002
【特許請求の範囲】
【請求項１】
浴槽１のエプロン７をＵ字型に開口し、この開口した小口に内側溝２と外側溝３付ける。浴槽１の湯が流れ出さないように、内側溝２と外側溝３に着脱できる内側湯止め板５と外側湯止め板６を差込、溝には防水パッキン９を埋め込、湯止め板も溝と接触する縁に防水パッキン９を付けた浴槽。
【請求項２】
浴槽１のエプロン７をＵ字型に開口した両側の小口の内側溝２と外側溝３を上部の巾を広くし、下部の巾を狭くして、この溝に着脱できる湯止め板の板厚も上部を厚く下部を薄くした湯止め板。
【請求項３】
浴槽１に着脱させる内側湯止め板５と外側湯止め板６を円形の踏み台４に合わせて湾曲にした湯止め板。
【発明の詳細な説明】
【０００１】
【発明が属する技術分野】
身障者や高齢者が浴槽に入るとき浴槽のエプロンを跨がなければならない。
そこで、浴槽の湯が流れ出さないように、２枚の内外の湯止め板を交互に着脱して、浴槽のエプロンを跨がずに浴槽内に入り入浴できる浴槽である。
【０００２】
【従来の技術】
自宅の浴室の浴槽に入るとは、お湯の入った浴槽に浴槽のエプロンを跨いで入るのであるが、足の不自由な人や身体障害者は、介護人の手助けを受けて浴槽に入っている。
【０００３】
【発明が解決しようとする課題】
身障者や高齢者が浴槽に入浴するとき、介護を必要とするが、軽度の身体障害者なら、自ら入りたい。さらに、重度の身体障害者は、浴槽のエプロンがあるため、介護者が抱き上げたり、機械で体を吊り上げたりしているが、わずかな介添えで、身体障害者を入浴させたい。
【０００４】
【課題を解決するための手段】
浴槽１のエプロン７をＵ字型に開口し、エプロン７を跨がず浴槽１に出入りできる浴槽にするのであるが、浴槽１のエプロン７をＵ字型に切取ったエプロン７の切り口に、２枚の仕切り板が入るように溝を４ヵ所付け、この溝に防水パッキン９を埋込み、この内側溝２と外側溝３に２枚の仕切り板、すなわち、湾曲した内側湯止め板５と外側湯止め板６を上部より差込むのである。浴槽１の底は、一般に浴室洗い場の床より低いので、浴槽１の底より上がった位置、すなわち、浴室の床に合わせた位置に踏み台４、４’を設け、この踏み台４、４’の床にも内側湯止め板５と外側湯止め板６が入るように内側溝２と外側溝３を付け、防水パッキン９を埋め込む。内側湯止め板５と外側湯止め板６をエプロン７の内側溝２と外側溝３に差込みながら下方に内側湯止め板５と外側湯止め板６を別々に押し下げてゆくと踏み台４、４’の内側溝２と外側溝３にも内側湯止め板５と外側湯止め板６の先端が入り、浴槽内の湯の流れ出るのを止める。この踏み台に合わせて湾曲した内外の湯止め板５、６の両端と下部の端にも防水パッキン９を付ける。この内外の湯止め板５、６は、着脱し易く、防水効果が出るように、上部を厚く、下部を薄くすることにより、エプロン７の内側溝２、と外側溝３と踏み台４、４’の溝に内外の湯止め板５，６の縁が密着するようになり、また、内外の湯止め板５、６を外し易くする効果がある。
【０００５】
【発明の実施の形態】
浴槽１に溜まった湯は、内側湯止め板３で止め、浴槽１に入るときは、外側湯止め板６を外して踏み台４に立ち内側湯止め板３を外して浴槽１の中に入るのであるが、湯が浴槽外に流れ出ないように、外側湯止め板６を上部からエプロン７の外側溝３にはめ込み浴槽１内の湯が浴槽外に漏れ出すのを防いだ後、内側の湯止め板３を外して浴槽内に入るようにする。
湯止め板が着脱し易く、防水効果が出るように、エプロン７の小口に付けた内側溝２と外側溝３を上部を広く下部を狭くし、湾曲した内外の湯止め板５、６も上部を厚く下部を薄くして、内外の溝２、３と内外の湯止め板５、６の接触部分が密着するようにする。
踏み台４の床面積を少なくするため、人が立つ両足の大きさに合わせ床に丸みを付け、２枚の内外の湯止め板５、６を湾曲にする。
【０００６】
【実施例】
浴槽１の内側湯止め板５を浴槽１への入口となる開口したエプロン７の両側の内側溝２に、内側湯止め板３を上部より差込んで降ろすと下端が踏み台４，４’の溝２に入るので、エプロン７の内側溝２と内側踏み台４’の内側溝２に内側湯止め板５が密着したのを確認して浴槽１に湯を入れる。浴槽１に湯が溜まったら浴槽１に入る人が踏み台４に立ち、外側湯止め板６を浴槽１の外側溝３に差し込み、上部より下方へ降ろし、浴槽１の外側入口を外側湯止め板６で閉じたのを確認して、内側湯止め板５を上部に持ち上げて取り外すと浴槽１の湯が外側湯止め板６で止まり、湯は浴槽１の外に流れ出さず浴槽１に入ることが出来る。
浴槽１より出るときは、外側湯止め板６を外側溝３に差込、踏み台の外側溝３まで差込んだ後、内側湯止め板５を上部に持ち上げ内側溝２より外して、踏み台４に立ち、再度、内側湯止め板５を内側溝２に差込、踏み台４、４’の内側溝２まで完全に差込むと浴槽１の湯が流れ出さなくなり、外側湯止め板６を上部に持ち上げて外側溝３より外し浴槽１の外に出る。この際、踏み台４、４’に溜まった湯は、洗い場に流れ出るが、浴槽１の湯は、外に流れ出ることはない。すなわち、２枚の湯止め板を交互に抜き差しすることにより、浴槽１の湯を浴槽外に流れ出さずに入浴出来る。
【０００７】
【発明の効果】
浴槽１のエプロン７をまたがずにエプロン７をＵ字型に開口した出入口より、２枚の内側湯止め板５と外側湯止め板６を交互に着脱させて浴槽内に入ることが出来る。従って、身障者や、高齢者など、足の不自由な人に便利である。
【図面の簡単な説明】
【図１】この発明の浴槽１の平面図である。
【図２】この発明の開口したエプロン７の内側湯止め板５と外側湯止め板６の１部平面図である。
【図３】この発明の内側湯止め板５の斜面図である。
【図４】この発明の内側湯止め板５のＡ−Ａ’右上部の斜面図である。
【図５】この発明の踏み台４’と外側湯止め板６及びエプロン７の立面図である。
【図６】この発明のＢ−Ｂ’左側の浴槽１の入口部分の外側湯止め板６を半開きにした立面図である。
【図７】この発明の踏み台４、４’まわりのエプロン７部分の１部と内湯止め板５と外側湯止め板６の平面図である。
【図８】この発明の内側湯止め板５と外側湯止め板６を半開きにした状態の図７を平面図と関連した浴槽１入口部分のＣ−Ｃ’の断面図である。
【符号の説明】
１          浴槽
２          内側溝
３          外側溝
４、４’    踏み台
５          内側湯止め板
６          外側湯止め板
７          エプロン
８          排水穴
９、９’    防水パッキン
【図１】
2005034258.tif 000003
【図２】
2005034258.tif 000004
【図３】
2005034258.tif 000005
【図４】
2005034258.tif 000006
【図５】
2005034258.tif 000007
【図６】
2005034258.tif 000008
【図７】
2005034258.tif 000009
【図８】
2005034258.tif 000010